(57)【要約】【課題】ドアノブ等の突起物を利用した広告手段でありながらも、消費者に多くの情報を伝えることのできるようにした販促用札を提供すること。【解決手段】一枚の用紙１０からなり、長さ方向の片側にはその両側辺が貼着された収納部用折返し部分１１を有し、その収納部用折返し部分１１と反対側には突起物に係止可能な係止部１２が形成されている構成とする。収納部用折返し部分１１により形成されるポケットにチラシ、パンフレット、リーフレット等を入れた状態でドアノブ等の突起物に吊り下げるという目立つ形態で宣伝印刷物を配布することができる。一枚の用紙で構成するため、低コストで提供できる。【選択図】図４
2005283714.tif 000002
【特許請求の範囲】
【請求項１】
一枚の用紙からなり、長さ方向の片側にはその両側辺が貼着された収納部用折返し部分を有し、その収納部用折返し部分と反対側には突起物に係止可能な係止部が形成されていることを特徴とする販促用札。
【請求項２】
一枚の用紙からなり、長さ方向の片側にはその両側辺が貼着された収納部用折返し部分を有し、その収納部用折返し部分と反対側には突起物に係止可能な係止部が形成された係止部用折返し部分を有しており、収納部用折返し部分と係止部用折返し部分がそれぞれを折り返した状態で互いに重ならない寸法になっていることを特徴とする販促用札。
【発明の詳細な説明】
【技術分野】
【０００１】
本発明は、チラシ、パンフレット、リーフレット等を配布する際に用いられる販促用札に関するものである。
【背景技術】
【０００２】
一般に、チラシ、パンフレット、リーフレット等の宣伝印刷物を家庭や事務所などに配布する手段としては、ダイレクトメールで送付する方法、或いは、郵便受けに直接投入する方法が採られている。ダイレクトメールによる場合は、受け取った人が一応目を通すことが多いが、郵便受けに直接投入された場合は、見ることもなくゴミ扱いされることが多い。そこで、配布した家庭や事務所の人に見てもらうようにするため、郵便受けに入れるのではなく、玄関や入り口のドアノブに吊り下げることにより、目立たせるようにした宣伝用の広告シートが提案されている。
【特許文献１】特開平７−１２５４７７号公報
【特許文献２】実開平６−８１７７０号公報
【発明の開示】
【発明が解決しようとする課題】
【０００３】
上記したようなドアノブを利用した広告手段である吊り下げタイプの広告シートは、家庭の玄関や事務所の入り口にあるドアノブに掛けておくと、出入りする人の目につきやすく、ドアを開ける人はドアノブから外して表示内容を見ることになるので、郵便受けに直接投入するチラシやパンフレットなどに比べると、目立つという点において優れた宣伝広告効果を発揮することができる。しかしながら、このような広告シートでは、ドアノブに吊り下げるシート表面に印刷した情報しか宣伝することができず、消費者に伝える情報量が少ないという問題点がある。そして、一方では、チラシ、パンフレット、リーフレット等の如き印刷物のように、多くの情報を提供したいという要望がある。
【０００４】
本発明は、このような事情に鑑みてなされたものであり、その目的とするところは、ドアノブ等の突起物を利用した広告手段でありながらも、消費者に多くの情報を伝えることのできるようにした販促用札を提供することにある。
【課題を解決するための手段】
【０００５】
上記の目的を達成するため、本発明に係る第１のタイプの販促用札は、一枚の用紙からなり、長さ方向の片側にはその両側辺が貼着された収納部用折返し部分を有し、その収納部用折返し部分と反対側には突起物に係止可能な係止部が形成されていることを特徴としている。
【０００６】
また、同様の目的を接待するため、本発明に係る第２のタイプの販促用札は、一枚の用紙からなり、長さ方向の片側にはその両側辺が貼着された収納部用折返し部分を有し、その収納部用折返し部分と反対側には突起物に係止可能な係止部が形成された係止部用折返し部分を有しており、収納部用折返し部分と係止部用折返し部分がそれぞれを折り返した状態で互いに重ならない寸法になっていることを特徴としている。
【発明の効果】
【０００７】
本発明に係る第１のタイプの販促用札は、一枚の用紙からなり、長さ方向の片側にはその両側辺が貼着された収納部用折返し部分を有し、その収納部用折返し部分と反対側には突起物に係止可能な係止部が形成されていることを特徴としているので、収納部用折返し部分により形成されたポケットにチラシ、パンフレット、リーフレット等を入れた状態でドアノブ等の突起物に吊り下げるという目立つ形態で宣伝印刷物を配布することができ、従来の吊り下げタイプの広告シートに比べて消費者に伝える情報量を多くすることができるという効果を奏する。また、一枚の用紙で構成するため、低コストで提供できるという利点もある。
【０００８】
本発明に係る第２のタイプの販促用札は、一枚の用紙からなり、長さ方向の片側にはその両側辺が貼着された収納部用折返し部分を有し、その収納部用折返し部分と反対側には突起物に係止可能な係止部が形成された係止部用折返し部分を有しており、収納部用折返し部分と係止部用折返し部分がそれぞれを折り返した状態で互いに重ならない寸法になっていることを特徴としているので、請求項１に記載の発明と同様な効果を奏するのに加え、係止部用折返し部分を折り返した状態では、宣伝印刷物を入れなくても或いは宣伝印刷物を入れても全体的な厚みが一様であるため、積み重ねたり束ねたりしても一方側だけが嵩張るようなことがなく、宣伝印刷物を入れる作業や配布作業時に支障をきたすことがないという効果を奏する。
【発明を実施するための最良の形態】
【０００９】
図１は本発明に係る第１のタイプの販促用札を構成する用紙の一例を示す展開図、図２は図１の用紙から作製した販促用札を示す正面図、図３は図２の販促用札に宣伝印刷物を入れた状態を示す正面図である。
【００１０】
図１に示すように、この販促用札を構成する用紙１０は、全体に縦長の長方形状で、下側寄りの位置に折線ａを介して収納部用折返し部分１１を有しており、その収納部用折返し部分と反対側にはドアノブに係止可能な係止部としての円形状開口１２が打抜き形成されている。そして、この用紙１０における収納部用折返し部分１１を折線ａで折り返し、その両側辺に沿った糊代１３のところで貼着することにより、図２に示す販促用札Ａが作製される。
【００１１】
この販促用札Ａは、図３に示すように、収納部用折返し部分１１により形成されるポケットに例えば折り畳んだパンフレットＰを入れた状態とし、図４に示すように、円形状開口１２の部分によりドアノブＮに吊り下げて使用する。したがって、販促用札Ａを構成する用紙１０は吊下げに耐えるある程度の強度のあるものを用いる必要があるし、また、円形状開口１２はドアノブが入るのに十分な大きさが必要であり、収納部用折返し部分１１で形成されるポケットの入り口はパンフレットＰ等の宣伝印刷物が入る幅にすることが必要である。
【００１２】
なお、収納部用折返し部分と反対側に形成する係止部は、上記のような円形状開口１２に限定されるものではなく、ドアノブ等の突起物に掛かるものであれば、どのような形状の開口でも構わない。例えば、図５に示す販促用札Ａのように、係止部として放射状切込み１４を形成してもよい。
【００１３】
図６は本発明に係る第２のタイプの販促用札を構成する用紙の一例を示す展開図、図７は図６の用紙から作製した販促用札を示す正面図、図８は図７の販促用札に宣伝印刷物を入れた状態を示す正面図である。
【００１４】
図６に示すように、この販促用札を構成する用紙２０は、全体に縦長の長方形状で、下側寄りの位置に折線ａを介して収納部用折返し部分２１を有するとともに、その反対側に折線ｂ介して係止用折返し部分２２を有しており、この係止用折返し部分２２にはドアノブに係止可能な係止部としての円形状開口２３が打抜き形成されている。ここで、収納部用折返し部分２１と係止部用折返し部分２２は、それぞれを折線ａ，ｂで折り返した状態とした時に互いに重ならない寸法になっている。そして、この用紙２０における収納部用折返し部分２１を折線ａで折り返し、その両側辺に沿った糊代２４のところで貼着するともに、係止用折返し部分２２を折線ｂで同じ方向に折り返すことにより、図７に示す販促用札Ｂが作製される。
【００１５】
この販促用札Ｂは、図８に示すように、収納部用折返し部分２１により形成されるポケットに例えば折り畳んだパンフレットＰを入れるとともに係止部用折返し部２２を戻した状態とし、この状態で円形状開口２３の部分によりドアノブに吊り下げて使用する。したがって、前記した販促用札Ａと同様に、販促用札Ｂを構成する用紙２０は吊り下げに耐える強度のあるものを用いる必要があるし、また、係止部用折返し部２２に形成する円形状開口２３はドアノブが入るのに十分な大きさが必要であり、収納部用折返し部分２１で形成されるポケットの入り口はパンフレットＰ等の宣伝印刷物が入る幅にすることが必要である。
【００１６】
この第２のタイプの販促用札は、前記した第１のタイプの販促用札Ａで説明したのと同じく図４に示す如き状態でドアノブに吊り下げればよいが、その好ましい吊り下げ方の手順について以下に説明する。
【００１７】
使用前の販促用札Ｂは、図７に示す状態であり、この状態のものを所定の枚数束ねた状態で供給される。この場合、販促用札Ｂは収納部用折返し部分２１と係止部用折返し部分２２とをそれぞれを折線ａ，ｂで折り返した状態になっており、双方の折返し部分が互いに重なっていないので、全体的な厚みが一様になっており、積み重ねた状態でも傾くことがないことから、くずれて作業性が悪くなるようなことがない。
【００１８】
配布前の準備として、図９に示すように、予め販促用札ＢにパンフレットＰをセットする作業を行なう。この場合、手で一冊ずつパンフレットＰをポケットに差し込むが、係止部用折返し部分２２を閉じたままでポケットへの差込みを行なう。このようにポケットにパンフレットＰを入れた販促用札Ｂを積み置きして準備を完了する。このようにパンフレットＰを入れた状態となっても、全体的な厚みは略一様であるので、束ねた状態で手提げ等に入れて持ち歩いても不揃いになりにくい。
【００１９】
このようにパンフレットＰを入れた販促用札Ｂを所定部数だけ手提げなどに入れて持ち運び、目的とする地域の家庭や事務所を回って配布する。そして、家庭の玄関や事務所の入り口にて、パンフレットＰを入れた状態の販促用札Ｂを一部ずつ手に取り、図１０〜図１１に示すように、指先で係止部用折返し部分２２を引き出した後、図１２に示すように、そのまま係止部用折返し部分２２の円形状開口２３の部分でドアノブＮに引っ掛けて吊り下げる。
【００２０】
なお、上記の例では、販促用札の収納部用折返し部分で形成されるポケットにパンフレットを一冊入れる場合を説明したが、折り畳んだチラシやリーフレットなどの別形態の宣伝印刷物でも同様に入れることができる。また、このような宣伝印刷物は一冊だけでなく、ポケットのサイズが許せば複数の冊数を入れることももちろん可能である。また、場合によっては、印刷物以外のものをポケットに入れることを妨げるものではない。
【００２１】
また、上記した第１のタイプの販促用札では、係止部の上方に位置する上端縁と収納部用折返し部分の先端をともに直線状にしているが、デザインを施すなりして任意の形状としても構わない。また、第２のタイプの販促用札の場合、収納部用折返し部分と係止部用折返し部分を折り返した状態で互いに重なり合いさえしなければ、それらの先端は任意の形状としてよい。
【００２２】
また、突起物に係止可能な係止部としては、ドアノブに吊り下げることを前提とした円形状開口が一般的であるが、上記したような放射状切込みを始めとして、任意の形状をした開口などの他の手段を採っても構わない。
【００２３】
また、本発明の販促用札は、表裏に所定の印刷を施すのはもちろんのこと、任意の箇所にインクジェット等によりくじなどの所望の印字を施すことができるし、ミシン目で切離しできるクーポンなどを設けることも可能である。
【図面の簡単な説明】
【００２４】
【図１】本発明に係る第１のタイプの販促用札を構成する用紙の一例を示す展開図である。
【図２】図１の用紙から作製した販促用札を示す正面図である。
【図３】図２の販促用札に宣伝印刷物を入れた状態を示す正面図である。
【図４】販促用札の使用形態を示す正面図である。
【図５】図２の販促用札の変形例を示す正面図である。
【図６】本発明に係る第２のタイプの販促用札を構成する用紙の一例を示す展開図である。
【図７】図６の用紙から作製した販促用札を示す正面図である。
【図８】図７の販促用札に宣伝印刷物を入れた状態を示す正面図である。
【図９】図７の販促用札にパンフレットをセットする様子を示す説明図である。
【図１０】図７の販促用札における係止部用折返し部分を抜き出す様子を示す説明図である。
【図１１】図７の販促用札における係止部用折返し部分を抜き出した様子を示す説明図である。
【図１２】図７の販促用札をドアノブに吊り下げて使用状態とする様子を示す説明図である。
【符号の説明】
【００２５】
Ａ，Ｂ  販促用札
Ｐ  パンフレット
１０  用紙
１１  収納部用折返し部分
１２  円形状開口
１３  糊代
１４  放射状切込み
２０  用紙
２１  収納部用折返し部分
２２  係止部用折返し部分
２３  円形状開口
２４  糊代
【図１】
2005283714.tif 000003
【図２】
2005283714.tif 000004
【図３】
2005283714.tif 000005
【図４】
2005283714.tif 000006
【図５】
2005283714.tif 000007
【図６】
2005283714.tif 000008
【図７】
2005283714.tif 000009
【図８】
2005283714.tif 000010
【図９】
2005283714.tif 000011
【図１０】
2005283714.tif 000012
【図１１】
2005283714.tif 000013
【図１２】
2005283714.tif 000014